(57)【要約】【課題】電源コードに外力が作用しても重量検知に影響せずに重量を検出することができる加熱調理器を提供すること。【解決手段】加熱手段１１と制御手段５と載置部３とを有する加熱調理器本体６と、載置部に載置された被加熱物の重量と加熱調理器本体の重量の合計重量を検知する重量検出部７と、加熱調理器本体に対して独立した電源コード固定台２１と、電源コード固定台と電気的に接続された電源コード２０と、加熱調理器本体と電源コード固定台とを電気的に接続するとともにバネ性を有する弾性接続体２４と、を備え、重量検出部が、被加熱物の荷重を受けて変位する際、電源コード固定台が加熱調理器本体と直接的に当接しない構成としたものである。【選択図】図１
2020098048.tif 000002
【特許請求の範囲】
【請求項１】
被加熱物を加熱可能な加熱手段と、
前記加熱手段を制御する制御手段と、
前記加熱手段の上方に配され被加熱物を載置可能な載置部と、
前記加熱手段と前記制御手段と前記載置部とを有する加熱調理器本体と、
前記載置部に載置された被加熱物の重量と前記加熱調理器本体の重量の合計重量を検知する重量検出部と、
を備えた加熱調理器であって、
前記加熱調理器本体に対して独立した電源コード固定台と、
前記電源コード固定台と電気的に接続された電源コードと、
前記加熱調理器本体と前記電源コード固定台とを電気的に接続するとともにバネ性を有する弾性接続体と、
を備え、
前記重量検出部が、被加熱物の荷重を受けて変位する際、前記電源コード固定台が前記加熱調理器本体と直接的に当接しない構成とした加熱調理器。
【請求項２】
重量検出部と電源コード固定台は、それぞれ位置ずれ防止材を介して設置台に設置される構成とした請求項１に記載の加熱調理器。
【請求項３】
加熱調理器本体と電源コード固定台との間を、低バネ定数のバネ体で間接的に保持する構成とした請求項１または２に記載の加熱調理器。
【発明の詳細な説明】
【技術分野】
【０００１】
本発明は、一般家庭、レストランおよびオフィスなどで使用される加熱調理器に関するものである。
【背景技術】
【０００２】
近年、鍋やフライパンなどの調理容器を加熱する加熱調理器においては、誘導加熱コイルにより調理容器を誘導加熱する誘導加熱調理器や、ガスの直火によるガス加熱調理器や、電熱ヒーター等で加熱するヒーター加熱調理器等がある。
【０００３】
これら加熱調理器で、被調理物を焼く、炒める、煮る、炊く、蒸す等を行う手段として使用する中、特に、炊飯を行う場合には、お米の重量とそれに応じた水の重量が重要であるため、加熱調理器である炊飯器に、お米と水の重量を検知するための重量センサを組み込んだ製品がある（例えば、特許文献１）。
【先行技術文献】
【特許文献】
【０００４】
【特許文献１】特許第６１４８７７４号公報
【発明の概要】
【発明が解決しようとする課題】
【０００５】
しかしながら、特許文献１に開示された構成は、重量センサが加熱調理器本体を支える構成であり、重量センサで加熱調理器の本体重量、および、お米／水の重量の全重量を検出し、既知である本体重量分を検出値から差し引くことでお米／水の重量を検知する構成であり、加熱調理器本体に電源を供給する電源コードを取り付けた状態で重量を検出するものである。
【０００６】
しかしながら、この電源コードが加熱調理器本体に取り付けられた状態で加熱調理器を使用しようとすると、電源コードに手が触れる、もしくは、電源コードが壁に当たってしまうと押圧を受ける。つまり、電源コードによって加熱調理器本体が上方に持ち上げられる、または、加熱調理器本体を下方に抑える力が作用し、重量センサの検出値はお米と水の真の重量値とズレが生じてしまう。
【０００７】
本発明は、上記課題を解決するものであって、加熱調理器の本体に電源コードを取り付けた状態で、重量センサが被加熱物の重量を精度よく検出することができる加熱調理器を提供することを目的とする。
【課題を解決するための手段】
【０００８】
前記従来の課題を解決するために、本発明の加熱調理器は、
被加熱物を加熱可能な加熱手段と、
前記加熱手段を制御する制御手段と、
前記加熱手段の上方に配され被加熱物を載置可能な載置部と、
前記加熱手段と前記制御手段と前記載置部とを有する加熱調理器本体と、
前記載置部に載置された被加熱物の重量と前記加熱調理器本体の重量の合計重量を検知する重量検出部と、
を備えた加熱調理器であって、
前記加熱調理器本体に対して独立した電源コード固定台と、
前記電源コード固定台と電気的に接続された電源コードと、
前記加熱調理器本体と前記電源コード固定台とを電気的に接続するとともにバネ性を有する弾性接続体と、
を備え、
前記重量検出部が、被加熱物の荷重を受けて変位する際、前記電源コード固定台が前記加熱調理器本体と直接的に当接しない構成としたものである。
【０００９】
これによって、加熱調理器の本体に電源コードを取り付けた状態で、重量センサが被加熱物の重量を精度よく検出することができる。
【発明の効果】
【００１０】
本発明によれば、加熱調理器上に被加熱物を載せた時、重量センサは被加熱物の荷重を受けてたわみが生じ、加熱調理器の本体は、重力方向、すなわち下方に移動するが、電源コード固定台と加熱調理器本体との間の弾性接続体もバネ変形し、かつ、そのバネ定数を重量センサのたわみ変位量と荷重の相関定数よりも桁違いに小さい値としているため、弾性接続体に掛かる荷重は重量センサに掛かる荷重よりも大いに小さく、より正確に被加熱物の重量を検出することが可能となる。また、電源コードは電源コード固定台に固定されているため、電源コードの外力が加熱調理器本体に掛かることはなく、重量センサの検出値が被加熱物の真値からズレるといった不具合も生じなくすることができる。
【図面の簡単な説明】
【００１１】
【図１】本発明の第１の実施の形態における加熱調理器の概略構成を示す断面図
【図２】本発明の第１の実施の形態における加熱調理器の正面図
【図３】本発明の第１の実施の形態における加熱調理器に重量検知手段を組立てたユニットの状態を示した斜視図
【図４】本発明の第１の実施の形態における加熱調理器の天面部品を取り外した状態の平面図
【図５】本発明の第１の実施の形態における加熱調理器の使用状態前後の断面図
【図６】本発明の第１の実施の形態における加熱調理器の使用状態前後の要部断面図
【図７】本発明の第１の実施の形態における加熱調理器に被加熱物を載せた状態を示す斜視図
【図８】本発明の第１の実施の形態における加熱調理器に被加熱物を載せた状態を示す側面図
【図９】本発明の第１の実施の形態における加熱調理器に被加熱物を載せた状態を示す側面図
【図１０】本発明の第１の実施の形態における加熱調理器の重量センサと弾性接続体が受ける荷重を示す模式図
【発明を実施するための形態】
【００１２】
第１の発明は、
被加熱物を加熱可能な加熱手段と、
前記加熱手段を制御する制御手段と、
前記加熱手段の上方に配され被加熱物を載置可能な載置部と、
前記加熱手段と前記制御手段と前記載置部とを有する加熱調理器本体と、
前記載置部に載置された被加熱物の重量と前記加熱調理器本体の重量の合計重量を検知する重量検出部と、
を備えた加熱調理器であって、
前記加熱調理器本体に対して独立した電源コード固定台と、
前記電源コード固定台と電気的に接続された電源コードと、
前記加熱調理器本体と前記電源コード固定台とを電気的に接続するとともにバネ性を有する弾性接続体と、
を備え、
前記重量検出部が、被加熱物の荷重を受けて変位する際、前記電源コード固定台が前記加熱調理器本体と直接的に当接しない構成としたものである。
【００１３】
このような構成により、加熱調理器上に被加熱物を載せた時、重量センサは被加熱物の荷重を受けてたわみが生じ、加熱調理器の本体は、重力方向、すなわち下方に移動するが、電源コード固定台と加熱調理器本体との間の弾性接続体もバネ変形し、かつ、そのバネ定数を重量センサのたわみ変位量と荷重の相関定数よりも桁違いに小さい値としているため、弾性接続体に掛かる荷重は重量センサに掛かる荷重よりも大いに小さく、より正確に被加熱物の重量を検出することが可能となる。また、電源コードは電源コード固定台に固定されているため、電源コードの外力が加熱調理器本体に掛かることはなく、重量センサの検出値が被加熱物の真値からズレるといった不具合も生じなくすることができる。
【００１４】
第２の発明は、特に、第１の発明において、重量検出部と電源コード固定台は、それぞれ位置ずれ防止材を介して設置台に設置される構成としたものである。
【００１５】
このような構成により、電源コードに壁に押されて湾曲するような大きな外力が加わっても、電源コードを取り付ける電源コード固定台がキッチン台等の設置台との間で確実に固定されるため、電源コードに外力が加わっても、加熱調理器本体と接触することはないため、被加熱物の重量をより正確に検出することができる。
【００１６】
第３の発明は、特に、第１または第２の発明において、加熱調理器本体と電源コード固定台との間を、低バネ定数のバネ体で間接的に保持する構成としたものである。
【００１７】
このような構成により、加熱調理器の本体と電源コード固定台との位置関係が保持されるため、加熱調理器をキッチン台等の設置台にセットする際に加熱調理器の本体と電源コード固定台との接触を抑制することができるようになる。
【００１８】
以下、本発明の実施の形態について、図面を参照しながら説明する。なお、本実施の形態によって本発明が限定されるものではない。
【００１９】
（実施の形態１）
図１は、本発明の第１の実施の形態における加熱調理器の概略構成を示す断面図である。図２は、本発明の第１の実施の形態における加熱調理器を示す正面図である。図３は、本発明の第１の実施の形態における加熱調理器に重量検知部を組立てたユニットの状態を示した斜視図である。図４は、本発明の第１の実施の形態における加熱調理器の天面部品を取り外した状態の平面図である。図５は、本発明の第１の実施の形態における加熱調理器の使用状態前後の断面図である。図６は、本発明の第１の実施の形態における加熱調理器の使用状態前後の要部断面図である。図７は、本発明の第１の実施の形態における加熱調理器に被加熱物を載せた状態を示す斜視図である。図８は、本発明の第１の実施の形態における加熱調理器に被加熱物を載せた状態を示す側面図である。図９は、本発明の第１の実施の形態における加熱調理器に被加熱物を載せた状態を示す側面図である。図１０は、本発明の第１の実施の形態における加熱調理器の重量センサと弾性接続体が受ける荷重を示す模式図である。
【００２０】
図１において、加熱調理器１は、被加熱物２を加熱可能な加熱手段１１と、加熱手段１１を制御する制御手段５と、加熱手段１１の上方に配され被加熱物２を載置可能な載置部３と、加熱手段１１と制御手段５と載置部３とを有する加熱調理器本体６と、載置部３に載置された被加熱物２の重量と加熱調理器本体６の重量の合計重量を検知する重量検出部７と、を備えた構成である。
【００２１】
被加熱物２は、調理物と、調理物を収納する調理容器とを指示するものである。調理容器は調理物に熱を伝達して調理するための構成である。
【００２２】
加熱調理器本体６は、図１に点線で囲うように上面を載置部３で構成するとともに、加熱手段１１と制御手段５を内蔵する。加熱調理器本体６は、図２に示すように操作表示手段８を備えている。
【００２３】
図２に示すように、操作表示手段８は、使用者から目視可能な位置に配されており、使用者の操作を受け付けることが可能である。操作表示手段８は、加熱調理器１からの情報を表示することが可能である。操作表示手段８は、制御手段５と接続されている。操作表示手段８は、使用者が加熱する被加熱物の種類を選択する選択部９と重量検出部７からの重量情報等を表示する表示部１０等を併せて設けている。
【００２４】
重量検出部７は、載置部３の下方、かつ、加熱調理器本体６の四隅の位置にそれぞれ配されている。
【００２５】
本実施の形態において、加熱手段１１は、高周波電流の供給により高周波磁界を発生し、被加熱物２を誘導加熱する誘導加熱コイル４としている。また、加熱手段１１である誘導加熱コイル４から発生する高周波磁界を制御するため、高周波電流の周波数、電流量等を調整するインバーターとその駆動を制御する駆動制御手段を制御手段５に構成している。駆動制御手段は、操作表示手段８を介した使用者による操作や、インバーターの電流、電圧、電力等の情報に基づいてインバーターの駆動を制御し、インバーターから誘導加熱コイル４へ供給する高周波電流を調整し、被加熱物２を加熱する電力を変化させるものであり、主にマイクロコンピューターとその周辺回路によって構成されている。
【００２６】
重量検出部７には、ロードセルと呼ばれる重量センサ１２を用いている。このロードセルは、金属の起歪体にひずみゲージが貼り付けられたもので、荷重による起歪体のたわみに応じてひずみゲージが伸長し、それにより生じるひずみゲージの抵抗値の変化に応じた電圧値を検出して重量に換算すセンサである。重量センサ１２はロードセルに限られるものではなく、静電容量式荷重センサなどの重量を検知するものであれば任意のセンサを使用することができる。
【００２７】
重量検出部７は、図１に点線で囲うようにフレーム部１３と、重量センサ１２と、下支持部１４と、アジャスター部１５と、位置ずれ防止材１７と、上端支持部１９とで構成されている。
【００２８】
重量検出部７は、図３に示すように、枠形状に組み立てた断面が略コの字状のフレーム部１３の下方に固定し、重量検出部７の下方には、加熱調理器本体６の底面に設けた穴部を貫通するようにして設けた下支持部１４を設けている。この下支持部１４には、加熱調理器本体６の高さを調整できるアジャスター部１５を併せて設けている。アジャスター部１５には、図７に示すように、加熱調理器１を設置台１６に設置する際、設置台１６に接する面に、粘着性を有した位置ずれ防止材１７を設けている。
【００２９】
重量検出部７は、図４に示すように、加熱調理器本体６の内部中心付近に設置した加熱手段１１、および制御手段５と加熱調理器本体６の側面壁との空間に収まるように配置しており、重量検出部７は、その周辺部品と接触しないように隙間を設けた構成にしている。
【００３０】
フレーム部１３の上端には加熱調理器本体６の側面壁に設けた受け部１８と係合する上
端支持部１９を設けている。
【００３１】
重量検出部７は、この加熱調理器本体６の受け部１８から、加熱調理器本体６の重量と、載置部３上に載置された被加熱物２の重量の合計重量を検知するように構成している。
【００３２】
図３に示したように、重量検出部７には、上端支持部１９と下支持部１４との間に、重量センサ１２と並列に配した予荷重バネ２７を配置している。この予荷重バネ２７は、加熱調理器１の本体重量よりもわずかに低い値に相当する分だけ縮めた状態で重量検出部７にセットしており、加熱調理器１を設置台１６に置いた状態において、加熱調理器本体６の重量相当分が重量センサ１２に負荷しないように予荷重を与えた状態にしている。
【００３３】
加熱調理器本体６の載置部３に被加熱物２を載せたときの合計荷重は、この予荷重バネ２７と重量センサ１２に分配して負荷が掛かる。この予荷重バネ２７の曲げ弾性係数は、重量センサ１２と同様、荷重と変位との間に線形的な相関関係があり、予荷重バネ２７の曲げ弾性係数をＫａ、重量センサ１２の曲げ弾性係数をＫｓとすると、重量センサ１２と予荷重バネ２７との間には、Ｋｓ／Ｋａ＝（一定）の関係が成立する。この相関関係により、重量検出部７が検知した重量値を係数＝Ｋｓ／（Ｋｓ＋Ｋａ）で補正することにより、正確な重量値を算出することができる。この予荷重バネ２７の曲げ弾性係数は、重量センサ１２の曲げ弾性係数に対して１／１０以下、好ましくは、１／１００以下の割合で構成しており、重量センサ１２の定格荷重を加熱調理器本体６の本体重量分を含めて測定可能な範囲で設定する必要がなく、対象となる被加熱物２の重量のみを測定可能な範囲とした定格荷重で設定すればよいため、重量検出部７の重量検知精度が上がる。
【００３４】
制御手段５には、各重量検出部７が検出した重量に応じた各電圧値を重量値に変換する重量値変換部を備えており、検出した重量値に応じて火力を調整したり、また、検出した重量値、もしくは、重量値を重量割合に換算した値を表示部１０に表示するように、制御手段５によって制御を行っている。
【００３５】
図５に示すように、本加熱調理器１への電源供給は、コンセントプラグを備えた電源コード２０を用いて行う。電源コード２０のコンセントプラグと反対側の端部を、電源コード固定台２１に固定して、接続端子部２２に電気的に接続されて結線している。電源コード固定台２１は、図５の点線で囲うように形成され、加熱調理器本体６とは独立分離した構成である。
【００３６】
電源コード固定台２１の接続端子部２２と加熱調理器本体６側に構成した電源接続端子部２３との間には、図５に示すように、各芯線を略Ｕ字状に湾曲させた弾性接続体２４でそれぞれ電気的に接続させている。本実施の形態では、寄り線を絶縁被覆した芯線で弾性接続体２４を形成した。
【００３７】
電源コード固定台２１と加熱調理器本体６との間には、バネ定数の低い圧縮コイルばねのバネ体２５を４箇所介在させて、電源コード固定台２１を加熱調理器本体６に保持させた状態としており、電源コード固定台２１を加熱調理器本体６に直接固定しない構成とした。加熱調理器１を持ち上げた時は、電源コード固定台２１はバネ体２５に吊り上げられた状態で加熱調理器本体６と共に持ち上がることになる。
【００３８】
電源コード固定台２１と加熱調理器本体６の外郭部分とは、図５に示すように、接触しないように全周に隙間を設けた構成としているが、この隙間部分から異物等が侵入するのを防止するために、電源コード固定台２１と加熱調理器本体６とをオーバーラップするように、薄い肉厚のシリコン素材で断面形状を略蛇腹状に形成した筒体２６を取り付けている。筒体２６の両端部の開口部分をそれぞれ電源コード固定台２１と加熱調理器本体６と
に固定するように組み付けている。さらに、電源コード固定台２１の底面には粘着性を有した位置ずれ防止材１７を設けている。電源コード固定台２１は、位置ずれ防止材１７を介して設置台１６に設置される。
【００３９】
次に、重量検出部７が重量を検知する際の加熱調理器本体６の挙動について説明する。加熱調理器１をキッチン等の設置台１６に設置し、加熱調理器本体６の載置部３に被加熱物２を載せると、加熱調理器１の脚部、すなわち、重量検出部７の下支持部１４に設けたアジャスター部分１５が接触し、重量センサ１２のロードセルの一端には、加熱調理器本体６の重量をフレーム部１３より下方向の荷重として掛かり、ロードセルの他端には、設置台１６が受ける加熱調理器本体６の重量の抗力として、アジャスター部１５より上方向の荷重が掛かる。このロードセルの両端に掛かる負荷によって、ロードセルは図６（Ａ）に示す状態から図６（Ｂ）に示すような曲げ変形が生じる。この変形部分に貼り付けられたひずみゲージがロードセルの変形と共に、伸縮を起こすことでひずみゲージの電気抵抗値が変化する。その電気抵抗の変化によって生じる電圧変動を検出することで、電圧値と負荷重量との相関式より負荷重量に換算して重量値を割り出している。
【００４０】
このように、重量センサ１２であるロードセルに負荷が掛かると曲げ変形が生じるため、その曲げ変形量の鉛直下方成分だけ、加熱調理器本体６は下方に移動する。
【００４１】
加熱調理器本体６は、重量検出部７で支えられた構造であるため、重量検出部７の重量センサ１２が変形すると、加熱調理器本体６自体が、その変形に応じて下方に変位する訳であるが、この時、加熱調理器本体６が別の機器などと接触すると、加熱調理器本体６はこの接触した部分に支えられる作用、つまり、上方向への押力が作用し、加熱調理器本体６の重量からこの押力を差し引いた荷重が、重量検出部７に負荷する状態となってしまい、加熱調理器本体６の重量を正確に検出することができなくなるため、加熱調理器１には壁や別の機器などが接触しないようにする必要がある。
【００４２】
しかし、従来の構成に見られるように、加熱調理器本体６への電源供給を行うための電源コード２０が、本体後壁面を貫通して本体外方向に延設され、かつ、電源コード２０は本体後壁面に固定されるようにして組み付けられているのが一般的である。キッチン等の設置台１６に加熱調理器１を設置すると、加熱調理器１から延設された電源コード２０も設置台１６上に設置された状態でコンセント側まで延設された状態となる。キッチン等の設置台１６上には、加熱調理器１以外の機器が同時に載置されることもあり、また、キッチン等の設置台１６は壁に付けた状態で設置されていることが多い。このような状況では、加熱調理器１から延設する電源コード２０が近傍に置かれた機器と接触したり、壁と接触した状態になることがある（図７参照）。
【００４３】
また、電源コード２０は、一般的にビニル系かゴム系の素材で絶縁被覆されているため、設置台１６表面との間に生じる摩擦抵抗が大きく、例えば、図８のように電源コード２０が屈曲した状態で設置台１６上に接触していると、電源コード２０の復元反発力により、加熱調理器１の電源コードを固定した箇所には上方斜め方向に持ち上げ力が作用してしまい、重量検出部７による重量検知精度に影響することになる。また一方で、図９のように電源コード２０を伸ばした状態で設置台１６上に接触した状態であっても、電源コード２０が設置台１６と接触する箇所を支点として掛かる電源コード２０自体の荷重が重量検出部７に作用することになり、この電源コード２０の自重は接触状態によって変化するため不安定であり、重量検知精度に影響してしまう。このように、加熱調理器１の本体に壁や別の機器が接触しないように配慮しても、この電源コード２０の取り扱いによって加熱調理器１の本体に対して力が作用してしまうために、重量の検知精度が不安定となる。
【００４４】
これに対し、本実施の形態では、電源コード２０のプラグとは反対側の端部を電源コー
ド固定台２１に固定し、電源コード固定台２１と加熱調理器本体６との間を、略Ｕ字状に湾曲させた弾性接続体２４で電気接続した構成としているため、重量検出部７に荷重が掛かり、加熱調理器本体６が下方に変位したとき、弾性接続体２４が図５（Ａ）に示す状態から図５（Ｂ）のように変形する（図中の二点鎖線は、変形前の弾性接続体２４の位置）。
【００４５】
なお、図５（Ａ）は、被加熱物２を載せていない加熱調理器１の断面図であり、図５（Ｂ）は、被加熱物２を載せている加熱調理器１の断面図である。
【００４６】
このとき、重量検出部７と電源コード固定台２１の弾性接続体２４に荷重は、模式的に考えると、図１０に示すように、重量検出部７と電源コード固定台２１の弾性接続体２４とで並列に配置した支持構造となるため、加熱調理器本体６と加熱調理器本体６の載置部３に載せた被加熱物２の合計荷重を、重量検出部７と電源コード固定台２１の弾性接続体２４とで分割して受ける構造となる。この弾性接続体２４はバネ性を有し、その曲げ変位量と負荷荷重との間には線形的な相関関係がある構造としており、弾性接続体２４の曲げ弾性係数をＫｃ、重量検出部７の重量センサの曲げ弾性係数をＫｓとすると、重量検出部７の重量センサ１２と電源コード固定台２１の弾性接続体２４との間には、Ｋｓ／Ｋｃ＝（一定）の関係が成立する。この相関関係により、重量検出部７が検知した重量値を係数＝Ｋｓ／（Ｋｓ＋Ｋｃ）で補正することにより、正確な重量値を算出することができる。また、この弾性接続体２４の曲げ弾性係数を、重量検出部７の重量センサ１２の曲げ弾性係数に対して１／１０以下、好ましくは、１／１００以下の割合となるように構成すれば、検知精度はさらに向上する。
【００４７】
この電源コード固定台２１の底面には、キッチン等の設置台１６との間で滑りが生じないように位置ずれ防止材１７を設けているため、先述した電源コード２０の屈曲等で電源コード固定台２１に負荷が掛かっても、電源コード固定台２１の位置ずれが抑制され、弾性接続体２４、および、加熱調理器本体６には負荷が伝播せず、重量検出部７で検知した重量値の精度に影響を及ぼすことはない。
【００４８】
本実施の形態では、電源コード固定台２１と加熱調理器本体６との間に、異物の混入を防止するための薄肉のシリコン素材で断面形状を略蛇腹状に形成した筒体２６を取り付け、さらに、組立て保持のためのバネ定数の低いバネ体２５を４箇所に設けているが、これらの曲げ弾性係数を、重量検出部７の重量センサ１２、および、電源コード固定台２１の弾性接続体２４に比べて、大幅に低い値のものを用いているため、これらが加熱調理器１の本体と一緒に変位する際に掛かる荷重は、重量検出部７に掛かる荷重に対して無視できるほど小さく、検知精度に影響することはない。
【００４９】
ここで、本実施の形態では、弾性接続体２４の低い曲げ弾性係数は、芯線を略Ｕ字状に湾曲させた構成とすることによって実現しているが、約０．５ｍｍの薄板を略Ｕ字状に湾曲させた構成でも低い曲げ弾性係数を実現することができる。
【００５０】
以上のように、本実施の形態における加熱調理器１は、被加熱物２を加熱可能な加熱手段１１と、加熱手段１１を制御する制御手段５と、加熱手段１１の上方に配され被加熱物２を載置可能な載置部３と、加熱手段１１と制御手段５と載置部３とを有する加熱調理器本体６と、載置部３に載置された被加熱物２の重量と加熱調理器本体６の重量の合計重量を検知する重量検出部７と、を備えた加熱調理器１であって、加熱調理器本体６に対して独立した電源コード固定台２１と、電源コード固定台２１と電気的に接続された電源コード２０と、加熱調理器本体６と電源コード固定台２１とを電気的に接続するとともにバネ性を有する弾性接続体２４と、を備え、重量検出部７が、被加熱物２の荷重を受けて変位する際、電源コード固定台２１が加熱調理器本体６と直接的に当接しない構成としたもの
である。
【００５１】
このような構成により、加熱調理器１上に被加熱物２を載せた時、重量検出部７を構成する重量センサは被加熱物２の荷重を受けてたわみが生じ、加熱調理器本体６は、重力方向、すなわち下方に移動するが、電源コード固定台２１と加熱調理器本体６との間の弾性接続体２４もバネ変形し、かつ、そのバネ定数を重量センサのたわみ変位量と荷重の相関定数よりも桁違いに小さい値としているため、弾性接続体２４に掛かる荷重は重量センサに掛かる荷重よりも大いに小さく、より正確に被加熱物２の重量を検出することが可能となる。また、電源コード２０は電源コード固定台２１に固定されているため、電源コード２０の外力が加熱調理器本体６に掛かることはなく、重量センサの検出値が被加熱物２の真値からズレるといった不具合も生じなくすることができる。
【００５２】
また、重量検出部７と電源コード固定台２１は、それぞれ位置ずれ防止材１７を介して設置台１６に設置される構成としたものである。
【００５３】
このような構成により、電源コード２０に壁に押されて湾曲するような大きな外力が加わっても、電源コード２０を取り付ける電源コード固定台２１がキッチン台等の設置台１６との間で確実に固定されるため、電源コード２０に外力が加わっても、加熱調理器本体６と接触することはないため、被加熱物２の重量をより正確に検出することができる。
【００５４】
さらに、加熱調理器本体６と電源コード固定台２１との間を、低バネ定数のバネ体２５で間接的に保持する構成としたものである。
【００５５】
このような構成により、加熱調理器本体６と電源コード固定台２１との位置関係が保持されるため、加熱調理器をキッチン台等の設置台１６にセットする際に加熱調理器本体６と電源コード固定台２１との接触を抑制することができるようになる。
【産業上の利用可能性】
【００５６】
以上のように、本発明にかかる重量検出部を備えた加熱調理器は、重量検出部を内蔵した加熱調理器の本体と電源コードとの間に、弾性接続体を有した電源コード固定台を介したことにより、外的要因で電源コードに負荷が掛かっても、その力が加熱調理器の本体への伝播が抑制され、重量検出部での検知に影響することなく、電源コードを備えた加熱調理器で精度よく重量を検出することができるものである。したがって、本発明にかかる加熱調理器は、民生用および業務用に適用することが可能である。
【符号の説明】
【００５７】
１  加熱調理器
２  被加熱物
３  載置部
５  制御手段
６  加熱調理器本体
７  重量検出部
１１  加熱手段
１２  重量センサ
１６  設置台
１７  位置ずれ防止材
２０  電源コード
２１  電源コード固定台
２４  弾性接続体
２５  バネ体
【図１】
2020098048.tif 000003
【図２】
2020098048.tif 000004
【図３】
2020098048.tif 000005
【図４】
2020098048.tif 000006
【図５】
2020098048.tif 000007
【図６】
2020098048.tif 000008
【図７】
2020098048.tif 000009
【図８】
2020098048.tif 000010
【図９】
2020098048.tif 000011
【図１０】
2020098048.tif 000012